(57)【要約】【課題】面引きの仕上がり形状を変更することができ、床面端部の強度を高めると共に、同時に見た目の美しさも兼ねる仕上げをすることができる面鏝を提供する。【解決手段】水平面を形成する甲ら１を形成する。該甲ら１の長手側縁から面を形成する羽根２を屈曲形成する。これら甲ら１と羽根２とを備えた面鏝を構成する。羽根２の長手側縁から副甲ら３を水平に延長する。この副甲ら３の長手側縁から補助羽根４を屈曲延長する。羽根２と補助羽根４との屈曲角度は、水平な甲ら１と副甲ら３とに対して同位角となるように構成する。【選択図】  図１
0003190726.tif 000002
【実用新案登録請求の範囲】
【請求項１】
水平面を形成する甲らの長手側縁から面を形成する羽根が屈曲形成された面鏝において、羽根の長手側縁から副甲らが水平に延長され、且つ、該副甲らの長手側縁から補助羽根が屈曲延長されたことを特徴とする面鏝。
【請求項２】
前記羽根と前記補助羽根との屈曲角度は、水平な前記甲らと前記副甲らとに対して同位角となるように構成した請求項１記載の面鏝。
【請求項３】
前記甲らの下面に、筋引き用の突条を１本又は複数本突設した請求項１又は２記載の面鏝。
【考案の詳細な説明】
【技術分野】
【０００１】
本考案は、コンクリート床面や道路面などに面引きする際に使用する面鏝に関するものである。
【背景技術】
【０００２】
一般に面鏝は、コンクリート床面の面引、道路面引などの面引き作業に使用される鏝である。この面鏝は、面引きの角度や使用状態に応じて羽根の長さや角度を変えた多くの種類が設けられている。
【０００３】
特許文献１に記載の左官コテも面鏝の一種で、コンクリート床面から排水溝に至る勾配面を面取りするように構成したものである。すなわち、排水溝を形成する型枠天端に押し付ける逆Ｌ字状を成した部位と、排水溝に至る勾配面を面取りする羽根とを設けたものである。
【先行技術文献】
【特許文献】
【０００４】
【特許文献１】実用新案登録第３１１９４８３号公報
【考案の概要】
【考案が解決しようとする課題】
【０００５】
ところが、特許文献１に記載の左官コテは、排水溝を形成する型枠天端に押し付ける逆Ｌ字状を成した部位があるので、コンクリート床面の面引、道路面引などの面引き作業に使用することはできない。
【０００６】
一方、従来の面鏝は、面引きの角度や使用状態に応じて羽根の長さや角度を変えた多くの種類が設けられているが、面引きする羽根は１枚に限られていた。そのため、従来の面鏝でコンクリート床面や、道路などに形成される面引きの仕上がり形状は、画一化されるものになっていた。コンクリート床面や道路面などの面引きは、床面端部の強度を高める重要な構成であるが、同時に見た目の美しさにおいても重要な要素になっている。しかしながら、従来の面鏝では画一的な仕上がり形状に限定される不都合があった。
【０００７】
そこで本考案は、上述の課題を解消すべく案出されたもので、面引きの仕上がり形状を変更することができ、床面端部の強度を高めると共に、同時に見た目の美しさも兼ねる仕上げをすることができる面鏝の提供を目的とするものである。
【課題を解決するための手段】
【０００８】
上述の目的を達成すべく本考案における第１の手段は、水平面を形成する甲ら１の長手側縁から面を形成する羽根２が屈曲形成された面鏝において、羽根２の長手側縁から副甲ら３が水平に延長され、且つ、該副甲ら３の長手側縁から補助羽根４が屈曲延長されたことにある。
【０００９】
第２の手段は、前記羽根２と前記補助羽根４との屈曲角度は、水平な前記甲ら１と前記副甲ら３とに対して同位角となるように構成したものである。
【００１０】
第３の手段は、前記甲ら１の下面に、筋引き用の突条５を１本又は複数本突設したものである。
【考案の効果】
【００１１】
本考案の請求項１によると、羽根２の長手側縁から副甲ら３が水平に延長され、且つ、該副甲ら３の長手側縁から補助羽根４が屈曲延長されたことにより、面引きの仕上がり形状を変更することができ、床面端部の強度を高めると共に、同時に見た目の美しさも兼ねる仕上がりをすることが可能になった。
【００１２】
請求項２のごとく、羽根２と補助羽根４との屈曲角度は、水平な甲ら１と副甲ら３とに対して同位角となるように構成したことで、羽根２及び補助羽根４にて形成される面の角度は同一角度になり、調和がとれた面引きが形成されるので、外観形状において見た目の美しさを提供することができる。
【００１３】
請求項３のように、甲ら１の下面に、筋引き用の突条を１本又は複数本突設したことで、面引きと共に、コンクリートやモルタル面に筋目を入れることが可能になる。この結果、これまでには存在しなかったデザインの面引きやヒビ引きが可能になるものである。
【図面の簡単な説明】
【００１４】
【図１】本考案の一実施例を示す斜視図である。
【図２】本考案の一実施例を示す概略側面図である。
【図３】本考案の他の実施例を示す概略側面図である。
【図４】本考案の他の実施例を示す概略側面図である。
【考案を実施するための形態】
【００１５】
本考案によると、面引きの仕上がり形状を変更することができ、床面端部の強度を高めると共に、同時に見た目の美しさも兼ねる仕上げをすることに成功した。
【００１６】
以下、図面を参照して本考案を詳しく説明する。本考案面鏝は、コンクリート床面の面引、道路面引などの面引き作業に使用される鏝である。この種の面鏝は、水平面を形成する甲ら１の長手側縁から面を形成する羽根２が屈曲形成されたもので、面引きの角度や使用状態に応じて羽根の長さや角度を変えて形成されている。
【００１７】
本考案面鏝は、羽根２の長手側縁から副甲ら３が水平に延長され、且つ、この副甲ら３の長手側縁から補助羽根４が屈曲延長されたものである（図１参照）。甲ら１の上面には、把手Ｐが設けられている。甲ら１と副甲ら３は、いずれも水平面を慣らす部位であるため平行に設けられている。
【００１８】
羽根２は甲ら１から屈曲形成され、副甲ら３は補助羽根４から屈曲形成されている。これら羽根２と補助羽根４との屈曲角度は、水平な甲ら１と副甲ら３とに対して同位角となるように構成している。図示例では、甲ら１と副甲ら３との下面に対してそれぞれ１３５度の角度に形成している（図２参照）。これら羽根２と補助羽根４との屈曲角度は、甲ら１と副甲ら３との下面に対してそれぞれ直角に形成することも可能である（図示せず）。
【００１９】
図３及び図４は、本考案の他の実施例を示している。すなわち、図３は、甲ら１の下面に、筋引き用の突条５を平行に２本突設したものである。この突条５は、例えば床のモルタルなどに筋を入れる仕上げに使用するもので、本考案では、面引き仕上げに隣接した筋目が形成されることになる。
【００２０】
図４は、甲ら１の下面に、筋引き用の突条５を１本突設したものである。このように、突条５の数は任意に設定することが可能である。
【００２１】
尚、本考案の実施例は図示例に限られるものではなく、例えば、甲ら１、羽根２、副甲ら３、補助羽根４の形状や角度の変更、材質の置換、あるいは把手Ｐなどの形状等は、本考案の要旨を変更しない範囲で自由に変更できるものである。
【符号の説明】
【００２２】
Ｐ  把手
１  甲ら
２  羽根
３  副甲ら
４  補助羽根
５  突条
【図１】
0003190726.tif 000003
【図２】
0003190726.tif 000004
【図３】
0003190726.tif 000005
【図４】
0003190726.tif 000006